(57)【特許請求の範囲】
【請求項１】
鉄道車両の乗客乗降用のドアの鴨居の下面に沿って、当該車両が走行し得る路線毎に割り当てられたラインカラーのうち当該車両が実際に走行する路線に対応する色で帯状に発光する、発光色可変表示器を備えることを特徴とする鉄道車両の誤乗注意喚起装置。
【請求項２】
前記発光色可変表示器の発光面は、少なくとも一部が、その法線方向を室外側に向けて傾斜させる態様で設置されていることを特徴とする請求項１記載の鉄道車両の誤乗注意喚起装置。
【請求項３】
前記鴨居の下面は、その法線方向が室外側に向けて傾斜させる態様で構成されていることを特徴とする請求項２記載の鉄道車両の誤乗注意喚起装置。
【請求項４】
前記発光色可変表示器の発光面は、車幅方向の断面形状が、多角形ないし円弧状に形成され、前記鴨居の下面から突出していることを特徴とする請求項２又は３記載の鉄道車両の誤乗注意喚起装置。
【請求項５】
前記発光色可変表示器は、前記鴨居の全幅に渡り設けられていることを特徴とする請求項１から４のいずれか１項記載の鉄道車両の誤乗注意喚起装置。
【請求項６】
前記発光色可変表示器の制御装置には、少なくとも前記乗客乗降用のドアの開放時に、車両が走行し得る路線毎に割り当てられたラインカラーに対応する色を、当該車両が実際に走行する路線に対応して、前記発光色可変表示器により表示する制御ロジックと、前記ドアの開閉動作時に、注意喚起用の色を、前記発光色可変表示器により表示する制御ロジックとが含まれることを特徴とする請求項１から５のいずれか１項記載の鉄道車両の誤乗注意喚起装置。
【請求項７】
駅構内の各所及び鉄道車両の車内において、当該車両が走行し得る路線毎に割り当てられたラインカラーを列記した対照表を設置し、又は、当該車両が走行する路線に割り当てられたラインカラーについて音声案内を行い、少なくとも乗客乗降用のドアの開放時に、当該車両が走行する路線に割り当てられた色を、請求項１から６のいずれか１項記載の鉄道車両の誤乗防止装置により表示することを特徴とする鉄道車両の誤乗注意喚起方法。
【発明の詳細な説明】
【技術分野】
【０００１】
本発明は、鉄道車両の乗客に対する行き先表示機能を強化することにより、行き先の異なる列車への誤乗の発生を防止する、誤乗注意喚起装置及び誤乗注意喚起方法に関するものである。
【背景技術】
【０００２】
従来から、鉄道車両の車体側面に、その列車が走行する路線に割り当てられたラインカラーを帯状に表示することが行われている。
一方、近年では、他路線や他社との相互直通運転が様々な路線で実施されるようになり、ある路線を走行する列車の帯状の表示とその路線のラインカラーとが、必ずしも一致しないような状況も発生し、乗客の誤乗を誘発する一因ともなっている。
そこで、車体側面の帯状の表示体の色を可変とする技術も発案されている（例えば、特許文献１参照）。
【先行技術文献】
【特許文献】
【０００３】
【特許文献１】特開平１０−１８８６４５号公報
【発明の概要】
【発明が解決しようとする課題】
【０００４】
しかしながら、車体側面に設置する帯状の表示体は大掛かりであり、十分な耐候性を持たせる必要があることから、設置やメンテナンスに大きなコストを要するものである。又、列車に対する乗車時には、乗客は乗降用ドアの前にたってドアの開放を待つが、ドアには表示体が設けられていないことから、乗客の視界にラインカラーが入らない場合もあり、車体側面に乗客の注意が向いていないと、誤乗を誘発し得ることとなる。更に、近年のホームドアの普及に伴い、車体側面に帯状に配されたラインカラーが、ホームドアと共に設置される柵によって隠されてしまう場合もある。
【０００５】
誤乗注意喚起は、従来からも、構内放送や車内放送による音声案内によってなされているが、より多くの誤乗注意喚起情報を乗客に提供することが、誤乗をより確実に防ぐ上で望ましい。
本発明は上記課題に鑑みてなされたものであり、その目的とするところは、鉄道車両の乗車時において、乗客に対して誤乗注意喚起をより確実に行うことにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）鉄道車両の乗客乗降用のドアの鴨居の下面に沿って、当該車両が走行し得る路線毎に割り当てられたラインカラーのうち当該車両が実際に走行する路線に対応する色で帯状に発光する、発光色可変表示器を備える鉄道車両の誤乗注意喚起装置（請求項１）。
本項に記載の鉄道車両の誤乗注意喚起装置は、乗客乗降用のドアの鴨居の下面に沿って設けられた、発光色可変表示器が、車両が走行し得る路線毎に割り当てられたラインカラーのうち、その車両が実際に走行する路線に対応する色に発光するものである。このため、乗客乗降用のドアの前で乗車を待つ乗客の視界の範囲には、ドアの鴨居の下面で帯状に発光する、発光色可変表示器の発光色が明確に示される。そして、その発光色がラインカラーを示すものであることから、乗車待ちの乗客には誤乗の気づきを促し、又は、正しい車両であることを認識させるものとなる。
【０００８】
しかも、乗客の頭上に発光色可変表示器の発光色が明確に示されることから、混雑時であっても、乗客の視界には発光色可変表示器の発光色が明確に表示されるものである。又、ドアの鴨居の下面がラインカラーに発光することで、車内の乗客の視界の範囲にも発光色可変表示器の発光色が明確に示され、乗車待ちの乗客のみならず、乗車中の乗客にも誤乗の気づきや、正しく乗車していることの確認を促すものともなる。
【０００９】
（２）上記（１）項において、前記発光色可変表示器の発光面は、少なくとも一部が、その法線方向を室外側に向けて傾斜させる態様で設置されている鉄道車両の誤乗注意喚起装置（請求項２）。
本項に記載の鉄道車両の誤乗注意喚起装置において、帯状に発光する発光色可変表示器の発光面は、発光面の少なくとも一部が、その法線方向を室外側に向けて傾斜させる態様で設置されていることから、乗客乗降用のドアの前で乗車を待つ乗客の視界の範囲に、発光色可変表示器の発光色を明確に示すものとなる。
【００１０】
（３）上記（２）項において、前記鴨居の下面は、その法線方向が室外側に向けて傾斜させる態様で構成されている鉄道車両の誤乗注意喚起装置（請求項３）。
本項に記載の鉄道車両の誤乗注意喚起装置は、鴨居の下面の法線方向が、室外側に向けて傾斜する態様で構成されていることで、鴨居の下面に沿って設けられた発光色可変表示器の発光面は室外側へと向き、乗客乗降用のドアの前で乗車を待つ乗客の視界の範囲に、発光色可変表示器の発光色を明確に示すものとなる。
【００１１】
（４）上記（２）（３）項において、前記発光色可変表示器の発光面は、車幅方向の断面形状が、多角形ないし円弧状に形成され、前記鴨居の下面から突出している鉄道車両の誤乗注意喚起装置（請求項４）。
本項に記載の鉄道車両の誤乗注意喚起装置は、発光色可変表示器の発光面は、車幅方向の断面形状が、多角形ないし円弧状に形成され、鴨居の下面から突出していることで、鴨居の下面に沿って設けられた帯状の発光面は、室外側からの視認性が良好となる。よって、乗客乗降用のドアの前で乗車を待つ乗客の視界の範囲に、発光色可変表示器の発光色を明確に示すものとなる。又、本項の帯状の発光部が上記（３）項の前記鴨居の下面に配置されることで、発光色可変表示器の発光面は全体として室外側へと向き、より一層、乗客の視認性が向上するものとなる。
【００１２】
（５）上記（１）から（４）項において、前記発光色可変表示器は、前記鴨居の全幅に渡り設けられている鉄道車両の誤乗注意喚起装置（請求項５）。
本項に記載の鉄道車両の誤乗注意喚起装置は、発光色可変表示器の発光面は、鴨居の全幅に渡り設けられていることで、乗客乗降用のドアの前で乗車を待つ乗客の視界から発光色可変表示器の発光面が外れてしまうことを防ぎ、発光色可変表示器の発光色を明確に示すものとなる。
【００１３】
（６）上記（１）から（５）項において、前記発光色可変表示器の制御装置には、少なくとも前記乗客乗降用のドアの開放時に、車両が走行し得る路線毎に割り当てられたラインカラーに対応する色を、当該車両が実際に走行する路線に対応して、前記発光色可変表示器により表示する制御ロジックと、前記ドアの開閉動作時に、注意喚起用の色を、前記発光色可変表示器により表示する制御ロジックとが含まれる鉄道車両の誤乗注意喚起装置（請求項６）。
本項に記載の鉄道車両の誤乗注意喚起装置は、少なくとも乗客乗降用のドアの開放時には、発光色可変表示器の発光面は、車両が走行し得る路線毎に割り当てられたラインカラーのうち、当該車両が実際に走行する路線に対応する色で発光するように、制御装置により制御される。よって、乗客乗降用のドアの前で乗車を待つ乗客の視界の範囲には、ドアの鴨居の下面で帯状に発光する、発光色可変表示器の発光色が明確に示される。又、ドアの開閉動作時には、発光色可変表示器の発光面は、注意喚起用の色（赤色等）で発光するように、制御装置により制御される。よって、ドアの開閉に際しての注意喚起を、車内外の乗客に対して促すものともなる。
【００１４】
（７）駅構内の各所及び鉄道車両の車内において、当該車両が走行し得る路線毎に割り当てられたラインカラーを列記した対照表を設置し、又は、当該車両が走行する路線に割り当てられたラインカラーについて音声案内を行い、少なくとも乗客乗降用のドアの開放時に、当該車両が走行する路線に割り当てられたラインカラーを、上記（１）から（６）のいずれか１項記載の鉄道車両の誤乗防止装置を用いて表示する鉄道車両の誤乗注意喚起方法（請求項７）。
本項に記載の鉄道車両の誤乗注意喚起方法は乗客乗降用のドアの前で乗車を待つ乗客の視界の範囲には、発光色可変表示器のラインカラーに対応する発光色が明確に示される。よって、発光色可変表示器の発光色を視認した乗客は、駅構内の各所及び鉄道車両の車内に設置された、車両が走行し得る路線毎に割り当てられたラインカラーを列記した対照表又は音声案内を拠り所として、その車両に乗車すべきか否かを判断する一助となる。
【発明の効果】
【００１５】
本発明はこのように構成したので、鉄道車両の乗車時において、乗客に対して誤乗注意をより確実に行うことが可能となる。
【図面の簡単な説明】
【００１６】
【図１】本発明の実施の形態に係る、鉄道車両の誤乗注意喚起装置の、乗客乗降用のドアの鴨居の下面に沿って設けられた、発光色可変表示器を示すものであり、（ａ）は鴨居部の概略図、（ｂ）は鴨居部の下面を見上げた状態を示す概略図である。
【図２】図１に示される鴨居部及びドアの概略断面図であり、（ａ）は一実形態を、（ｂ）別の実施形態を示すものである。
【図３】本発明の実施の形態に係る、鉄道車両の誤乗注意喚起装置の全体構成を示すブロック図である。
【発明を実施するための形態】
【００１７】
以下、本発明を実施するための最良の形態を添付図面に基づいて説明する。ここで、従来技術と同一部分、若しくは、相当する部分については同一符号で示し、詳しい説明を省略する。
【００１８】
本発明の実施の形態に係る鉄道車両の誤乗注意喚起装置１０は、図１に示されるように、鉄道車両の乗客乗降用のドア１２の鴨居１４の下面１４ａに沿って、その鉄道車両が走行し得る路線毎に割り当てられたラインカラー（例えば、青、緑、黄色、オレンジ等）を、当該車両が実際に走行する路線に対応して表示する帯状の発光面を含む、発光色可変表示器１６が設置されている。発光色可変表示器１６の帯状の発光面１６ａは、例えば、ＬＥＤを光源とする透明な棒状の導光体により構成されるものであり、図示の例では、連続帯状をなしている。又、発光色可変表示器１６は、点状又は短い線状の発光部が並ぶことで、全体として帯状の発光面１６ａを構成するものであっても良い。そして、発光色可変表示器１６の発光面１６ａの長さは、鴨居１４の全幅に渡るように設けられていることが望ましいが、複数に分割されて断続的に設けられていても良い。なお、発光面１６ａの幅は、視認性や他の部品との取り合い等を考慮して、適宜設定される。
【００１９】
又、図２に示されるように、発光色可変表示器１６の発光面１６ａは、少なくとも一部が、その法線方向を室外側に向けて傾斜させる態様で設置されている。具体的には、図２（ａ）の例では、鴨居１４の下面１４ａは、その法線方向Ｃ１４が室外側（ＯＵＴ）に向けて傾斜させる態様で構成されている。このため、発光色可変表示器１６の発光面１６ａが、図示のごとく平坦な態様のものである場合に、発光面１６ａの法線方向Ｃ１６も室外側（ＯＵＴ）へと向き、発光面１６ａが室外側（ＯＵＴ）へと向くことになる。なお、図示の例では、発光色可変表示器１６の発光面１６ａは、鴨居１４の下面１４ａから突出しているが、鴨居１４の下面１４ａと面一であっても良い。
【００２０】
これに対し、図２（ｂ）の例では、鴨居１４の下面１４ａは、その法線方向Ｃ１４が鉛直方向を向いている。又、発光色可変表示器１６の発光面１６ａは、車幅方向の断面形状が、多角形ないし円弧状（図示の例では三角形）に形成される態様で、鴨居１４の下面１４ａから突出している。このため、発光面１６ａの一部の法線方向Ｃ１６は室外側（ＯＵＴ）へと向き、発光面１６ａの一部が室外側（ＯＵＴ）へと向くことになる。
なお、図２（ａ）の鴨居１４の下面１４ａに、図１（ｂ）の発光色可変表示器１６の発光面１６ａを組み合わせて用いることとしても良い。
【００２１】
誤乗注意喚起装置１０の全体構成は、図３に示されるように、鉄道車両の複数の乗客乗降用のドア毎に発光色可変表示器１６が設置され、各表示器が、制御装置１８によって駆動されるものである。制御装置１８は、電子演算器により構成され、列車の種別、行き先、編成、ダイヤ等の情報が収納された列車運行情報装置２０、及び、ドア１２の開閉制御に係るドア開閉装置２２と連携している。
そして、制御装置１８、列車運行情報装置２０及びドア開閉装置２２は、いずれも鉄道車両に搭載されるものであるが、必要に応じて鉄道車両の外部に設置され、適宜、発光色可変表示器１６と情報交換を行うものであっても良い。
【００２２】
又、制御装置１８には、列車運行情報装置２０からの、当該列車の運行情報や、ドア開閉装置２２からの開閉制御信号等、適切な情報信号を受けて、少なくとも乗客乗降用のドア１２の開放時に、車両が走行し得る路線毎に割り当てられたラインカラーに対応する色を、当該車両が実際に走行する路線に対応して、発光色可変表示器１６により表示する制御ロジック１８ａと、ドア１２の開閉動作時に、注意喚起用の色（例えば赤）を、発光色可変表示器により表示する制御ロジック１８ｂとが含まれる。
なお、ドア１２の開閉動作時の制御ロジック１８ｂとして、ラインカラーに対応する色をそのまま用い、点灯又は点滅のパターンを変化させる、例えば、点滅や輝度の強弱に変化を与える、或いは、帯状の発光色可変表示器１６の端部から中央部に向かって点滅パターンを移動させる等の、様々な発光パターンで駆動を行うものであっても良い。又、制御装置１８を、ドア１２の上方に設けられる、情報提供用のディスプレー２４（図１（ａ）参照）のドライバと共用することとしても良い。
【００２３】
更に、誤乗注意喚起装置１０の運用共に、駅構内の各所及び鉄道車両の車内において、当該車両が走行し得る路線毎に割り当てられたラインカラーを列記した対照表２６（図１（ａ）参照）を設置し、又は、当該車両が走行する路線に割り当てられたラインカラーについて、音声案内を行うこととする。
【００２４】
さて、上記構成を有する本発明の実施の形態によれば、次のような作用効果を得ることが可能である。
すなわち、本発明の実施の形態に係る鉄道車両の誤乗注意喚起装置１０は、乗客乗降用のドア１２の鴨居１４の下面に沿って設けられた、発光色可変表示器１６が、車両が走行し得る路線毎に割り当てられたラインカラーのうち、その車両が実際に走行する路線に対応する色に発光するものである。このため、乗客乗降用のドア１２の前で乗車を待つ乗客の視界の範囲には、ドア１２の鴨居１４の下面１４ａで帯状に発光する、発光色可変表示器１６の発光色が明確に示されることとなる。そして、その発光色がラインカラーを示すものであることから、乗車待ちの乗客には誤乗の気づきを促し、又は、正しい車両であることを認識させるものとなる。
【００２５】
しかも、乗客の頭上に発光色可変表示器１６の発光色が明確に示されることから、混雑時であっても、乗客の視界には発光色可変表示器１６の発光色が明確に表示されるものである。又、ドア１２の鴨居１４の下面１４ａがラインカラーに発光することで、車内の乗客の視界の範囲にも発光色可変表示器１６の発光色が明確に示され、乗車待ちの乗客のみならず、車内（図２（ＩＮ））に乗車中の乗客にも誤乗の気づきや、正しく乗車していることの確認を促すものともなる。
【００２６】
又、帯状に発光する発光色可変表示器１６の発光面１６ａは、少なくとも一部が、その法線方向Ｃ１６を室外側（ＯＵＴ）に向けて傾斜させる態様で設置されていることから（図２参照）、乗客乗降用のドア１２の前で乗車を待つ乗客の視界の範囲に、発光色可変表示器１６の発光色を明確に示すものとなる。
又、発光色可変表示器１６の発光面１６ａは、鴨居１４の全幅に渡り設けられていることで、乗客乗降用のドア１２の前で乗車を待つ乗客の視界から発光色可変表示器１６の発光面１６ａが外れてしまうことを可能な限り防ぎ、発光色可変表示器１６の発光色を明確に示すものとなる。
【００２７】
そして、少なくとも乗客乗降用のドア１２の開放時には、発光色可変表示器１６の発光面１６ａは、車両が走行し得る路線毎に割り当てられたラインカラーのうち、当該車両が実際に走行する路線に対応する色で発光するように、制御装置１８により制御される。よって、乗客乗降用１２のドアの前で乗車を待つ乗客の視界の範囲には、ドア１２の鴨居１４の下面１４ａで帯状に発光する、発光色可変表示器１６の発光色が明確に示される。又、ドア１２の開閉動作時には、発光色可変表示器１６の発光面１６ａは、注意喚起用の色（赤色等）で発光するように、制御装置１８により制御される。よって、ドア１２の開閉に際しての注意喚起を、車内外の乗客に対して促すものともなる。
【００２８】
そして、本発明の実施の形態に係る誤乗注意喚起方法によれば、乗客乗降用のドア１２の前で乗車を待つ乗客の視界の範囲には、発光色可変表示器１６のラインカラーに対応する発光色が明確に示される。よって、発光色可変表示器１６の発光色を視認した乗客は、駅構内の各所及び鉄道車両の車内に設置された、車両が走行し得る路線毎に割り当てられたラインカラーを列記した対照表２６又は音声案内を拠り所として、その車両に乗車すべきか否かを判断する一助となり、誤乗が防止されるものである。
【符号の説明】
【００２９】
１０：鉄道車両の誤乗注意喚起装置、  １２：ドア、  １４：鴨居、  １４ａ：下面、
１６：発光色可変表示器、  １６ａ：発光面、  １８：制御装置、  ２６：対照表、  Ｃ１６：発光色可変表示器の発光面の法線方向
【図１】
0006452197.tif 000002
【図２】
0006452197.tif 000003
【図３】
0006452197.tif 000004